(57)【特許請求の範囲】
【請求項１】
駆動機構および常時は開放され、閉成時において同駆動機構を駆動可能とする安全スイッチを備えたミキサー本体と、このミキサー本体の上部に着脱可能に係合セットされるカップ台と、このカップ台の内側に上記ミキサー本体の駆動機構と係合する形で着脱可能に設置される工具ユニットと、上記カップ台の上部に螺合セットされるミキサーカップと、このミキサーカップの開口部上に嵌合セットされる蓋体と、この蓋体によって押圧操作され、上記ミキサー本体の安全スイッチを閉成する連係ロッドを有し、上記ミキサー本体に対して、上記カップ台、工具ユニット、ミキサーカップ、蓋体の全てがセットされないと、上記ミキサー本体の安全スイッチが閉成されないようにした安全機構とからなり、該安全機構の上記連係ロッドの蓋体側と安全スイッチ側を非同軸状態に偏位させて配置するとともに、該安全機構を上記ミキサーカップの把手部とは異なる周方向位置に設けてなるミキサーであって、上記蓋体がセットされている状態では、上記ミキサーカップおよびカップ台を取り外すことができないようにしたことを特徴とするミキサー。
【発明の詳細な説明】
【技術分野】
【０００１】
本願発明は、調理器具としてのミキサーの構成に関し、特に蓋体をセットしないと工具部を駆動することができない安全機構を備えたミキサーの構成に関するものである。
【背景技術】
【０００２】
一般に調理器具としてのミキサーは、モーター等の駆動機構を備えたミキサー本体と、このミキサー本体上に駆動機構と係合する形でセットされる工具ユニットを備えたカップ台と、このカップ台上にセットされるミキサーカップと、このミキサーカップの開口部上に嵌合される蓋体とからなっており、ミキサー本体上にカップ台がセットされ、該カップ台上にミキサーカップがセットされないと、電源スイッチを入れてもミキサー側駆動機構が駆動されないようにした安全機構が設けられている（例えば特許文献１を参照）。
【０００３】
これらに加え、さらにミキサーカップに蓋体が嵌合セットされないと、ミキサー本体側の駆動機構が駆動されないようにしたものもある（例えば特許文献２，特許文献３参照）。
【０００４】
これら従来の安全機構の場合、殆ど全てのものが、カップ台およびミキサーカップの係合、蓋体の嵌合に応じて下方に押圧される連係ロッド（作動ロッド）を備え、同連係ロッドをミキサー本体側に設けた安全スイッチの操作位置まで直線的に同軸状態で連係させる構成となっている。
【０００５】
また、蓋体との連係を図ったものでは、ミキサーカップが一般に透明の硝子体であり、見映えが悪いことや、取り付けにくさがあることから、ミキサーカップの把手取付位置に対応させて蓋体からの連係ロッドを設置するようにしている。
【先行技術文献】
【特許文献】
【０００６】
【特許文献１】特開２００４−２５４７９８号公報
【特許文献２】再公表公報  ＷＯ２００９／０７８０６７
【特許文献３】実用新案登録第３０９２１９０号公報
【発明の概要】
【発明が解決しようとする課題】
【０００７】
しかし、以上の構造の場合、その何れにあっても、連係ロッド上端側の押圧部は、上方側に開口された状態となっており、同開口部分から水等の液体が侵入しやすい問題がある。そして、安全スイッチは、水が入ると、故障しやすく、安全性に問題を生じる。
【０００８】
特に上記蓋体と連係させたものの場合、連係ロッド上端側の押圧用開口部がミキサーカップの開口部に位置することになるので、問題は、より深刻となる。
【０００９】
そして、同押圧用開口部が把手部の上端にある場合、さらに濡れた手で把手部を持った時に水が侵入する可能性が高くなる。
【００１０】
本願発明は、以上のような問題を解決するためになされたもので、上記安全機構の連係ロッドの操作部側と安全スイッチ作動部側位置とを非同軸方向に配置するとともに、上記安全機構を上記ミキサーカップの把手部とは異なる周方向位置に設け、かつ蓋体がセットされている状態では、上記ミキサーカップおよびカップ台を取り外すことができないようにしたミキサーを提供することを目的とするものである。
【課題を解決するための手段】
【００１１】
本願発明は、上述の課題を解決するために、次のような課題解決手段を備えて構成されている。
【００１２】
（１）  請求項１の発明
この発明は、駆動機構および常時は開放され、閉成時において同駆動機構を駆動可能とする安全スイッチを備えたミキサー本体と、このミキサー本体の上部に着脱可能に係合セットされるカップ台と、このカップ台の内側に上記ミキサー本体の駆動機構と係合する形で着脱可能に設置される工具ユニットと、上記カップ台の上部に螺合セットされるミキサーカップと、このミキサーカップの開口部上に嵌合セットされる蓋体と、この蓋体によって押圧操作され、上記ミキサー本体の安全スイッチを閉成する連係ロッドを有し、上記ミキサー本体に対して、上記カップ台、工具ユニット、ミキサーカップ、蓋体の全てがセットされないと、上記ミキサー本体の安全スイッチが閉成されないようにした安全機構とからなり、該安全機構の上記連係ロッドの蓋体側と安全スイッチ側を非同軸状態に偏位させて配置するとともに、該安全機構を上記ミキサーカップの把手部とは異なる周方向位置に設けてなるミキサーであって、上記蓋体がセットされている状態では、上記ミキサーカップおよびカップ台を取り外すことができないようにしたことを特徴としている。
【００１３】
この発明の構成の場合、ミキサー本体、カップ台、工具ユニット、ミキサーカップ、蓋体が、それぞれ分離可能な独立した構成となっており、ミキサー本体の上部に対してカップ台が係合セットされるとともに、カップ台の内側に工具ユニットが設置され、カップ台に対してミキサーカップが螺合セットされ、さらにミキサーカップの開口部上に蓋体が嵌合セットされることによって、安全機構を構成するミキサー本体の安全スイッチが閉成され、それに対応してミキサー本体の駆動機構による工具ユニットの駆動が可能となる。
【００１４】
しかも、その場合において、安全機構は、上記蓋体によって押圧操作されることによって上記ミキサー本体の安全スイッチを閉成する連係ロッドを有し、該連係ロッドにより、上記カップ台、工具ユニット、ミキサーカップ、蓋体の全てがセットされないと、上記ミキサー本体の安全スイッチが閉成されないようにしているとともに、該連係ロッドの上記蓋体側と上記安全スイッチ側を非同軸状態に偏位させて配置するとともに、当該安全機構を上記ミキサーカップの把手部とは異なる周方向位置に設けている。
【００１５】
したがって、仮に上記安全機構の上記連係ロッドの押圧操作部側に水等が侵入したとしても、上記作動部側安全スイッチ部分にストレートに供給されるようなことはなくなる。また、仮に水に濡れた手でミキサーカップの把手を持ったような場合にも、上記安全機構の押圧操作部側が同把手部から周方向に離れた位置に位置することになるので、当該押圧操作部から水等が侵入することがなくなる。それらの結果、より確実に安全機構の信頼性が保障される。
【００１６】
さらに、この発明の構成の場合、それらの構成に加えて、上記蓋体がセットされている状態では、上記ミキサーカップおよびカップ台を取り外すことができないようになっている。
【００１７】
したがって、このような構成によると、蓋体がセットされているミキサー本体側駆動機構の駆動が可能な状態では、ミキサーカップおよびカップ台を取り外すことができないことになり、より安全である。
【発明の効果】
【００１８】
以上の結果、本願発明によると、従来のものに比べて、より安全性、信頼性の高いミキサーを提供することができる。
【図面の簡単な説明】
【００１９】
【図１】本願発明の実施の形態に係るミキサーの全体的な構成を示す斜視図である。
【図２】同ミキサーの構成を示す中央部縦方向の切断面図である。
【図３】同ミキサーのミキサー本体部分の平面図である。
【図４】同ミキサーのミキサー本体部分の斜視図である。
【図５】同ミキサーのカップ台部分の斜視図である。
【図６】同ミキサーの安全機構部分の拡大断面図である。
【図７】同ミキサーの外装ケースおよび第１の作動ロッド部分の分解斜視図である。
【図８】同ミキサーの第２の作動ロッド部分の分解斜視図である。
【発明を実施するための形態】
【００２０】
図１〜図８は、本願発明の実施の形態に係るミキサーの全体および要部の構造を示している。
【００２１】
先ず図１、図２は、同ミキサー全体の外観、内部の主要な構造を示している。
【００２２】
このミキサーは、大きく分けて、回転駆動手段としてのモータＭを備えたミキサー本体１（図３、図４参照）、該ミキサー本体１の上端部にヘリコイド係合する形でセットされるカップ台２（図５参照）と、該カップ台２の内側に着脱可能な状態で設置される工具ユニット１１（図２参照）と、上記カップ台２の上端部に螺合する形でセットされる一側面に把手部１５ａを備えたガラス製のミキサーカップ３と、該ミキサーカップ３の上端側開口部に嵌合する形でセットされる蓋体４とから構成されている。
【００２３】
ミキサー本体１は、底部側の径が大きく、上部側の径が小さい、円錐台形状の合成樹脂製ケーシング（以下、本体ケーシングという）内の中央部にモータＭ、側壁部１ａ部分に操作キー（操作スイッチ）ＳＷ１〜ＳＷ４、スイッチ機構ＳＡ、底壁部１ｂ下部の底部材９部分に電源コード５収納用のコードリール６を備えて構成されており、また図３、図４に示すように、上端部側外周の３ケ所（例えば相互に１２０°位置を変えた３ケ所）には、上述したカップ台２の下端側円筒状の外周壁部２ａ部分をヘリコイド係合するための内外２重壁構造のカップ台係合用凸部１ｄ，１ｄ，１ｄが所定の高さ立設されている。
【００２４】
そして、このカップ台係合用凸部１ｄ，１ｄ，１ｄの外周面側下部には、カップ台２側周壁部２ａ下部のヘリコイド係合溝２ｂに係合するヘリコイド係合片１ｅ，１ｅ，１ｅがそれぞれ設けられている。
【００２５】
モータＭは、上下方向に長く延び、その上端側を上記本体ケーシングの天壁部１ｃ中央の開口部から上方に所定寸法突出させる一方、下端側を軸受部材７および支持機構８を介して上記本体ケーシングの底壁部１ｂ上に回転可能に支持されたモータ軸９１と、該モータ軸９１の上下方向中央部の外周に固定して設けられたロータ９２と、該ロータ９２の外周側に所定の隙間を保って設けられ、その外周側を本体ケーシングに固定されたステータ９３とからなっており、上記ロータ９２側に電源が供給されると、上記ロータ９２が回転して上記モータ軸９１が回転されるようになっている。
【００２６】
操作キーＳＷ１〜ＳＷ４（例えば、フラッシュキー：ＳＷ１、Ｈｉスピードキー：ＳＷ２、Ｌｏｗスピードキー：ＳＷ３、ストップキー：ＳＷ４）およびスイッチ機構ＳＡは、相互に対応する形で設けられており、何れかの操作キーが押されると、操作ロッドを介してスイッチ機構ＳＡに設けられている対応するスイッチ部（接点部）がＯＮ作動し、必要な制御回路が作動されてモータＭが所望の設定速度（Ｈｉ又はＬｏｗ）で駆動される。
【００２７】
一方、上記モータ軸９１の上端には、カップ台２側第２の係合部材（硬質ゴム製）１３の複数の係合部（係合凸部）１３ａ，１３ａ・・・と係合する複数の係合片（係合凸部）１０ａ，１０ａ・・・を備えた第１の係合部材１０が設けられている。この第１の係合部材１０は、例えば上記モータ軸９１の上端にモータ軸９１の回転方向と逆方向に回転される形で螺合された縦長のスリーブ部１０ｂと、該スリーブ部１０ｂの上端に位置して一体化された所定の径の円形プレート部１０ｃとからなっており、該円形プレート部１０ｃの上面側半径方向部分に起立して設けられた係合片１０ａ，１０ａ・・・とからなっている。
【００２８】
カップ台２は、上端側で相互に連続する逆Ｖ字状の内外２重壁構造の筒状体からなり、内周側周壁部２ｅよりも外周側周壁部２ａの方が上下方向の長さ（幅）が少し長く形成されており、同外周側周壁部２ａの下端部内周面に上述したヘリコイド係合溝（１２０°間隔で３ケ所）２ｂ，２ｂ，２ｂが設けられており、上記本体ケーシング上端のカップ台係合用凸部１ｄ，１ｄ，１ｄ部分に着脱可能にヘリコイド係合されて一体化されている。
【００２９】
一方、このカップ台２の上記内周側周壁部２ｅには、その周方向全体の下端側に工具ユニット１１設置用の段部（断面鉤状の段部）２ｆが、また、その上部側内周面にはミキサーカップ螺合用の螺合溝２ｇがそれぞれ設けられている。
【００３０】
工具ユニット１１は、工具回転軸１１ａと、ベアリング部材を介して工具回転軸１１ａを回転自在に支持するボス部（軸受部）１１ｂと、該ボス部１１ｂを支持する傘状の工具ユニット支持ブラケット部１１ｃとからなっている。
【００３１】
工具回転軸１１ａの上端には、必要な回転加工具（図示の例では、切刃）１２が水平方向に回転駆動されるように取り付けられている一方、下端側には、上述した本体側第１の係合部材１０の係合片１０ａ，１０ａ・・・と係合する係合部１３ａ，１３ａ・・・を備えた第２の係合部材１３が螺合状態で連結固定されている。
【００３２】
上記工具ユニット支持ブラケット部１１ｃは、傘状に外周側が下降傾斜した円板部の外周端所定幅部分を上述したカップ台２の内周側周壁部２ｅ下端の段部２ｆの上面部分に対応する係合縁部１１ｄとしており、同係合縁部１１ｄの上部側はミキサーカップ３の下端３ａとの間をシールするシールパッキン１４の設置部となっている。そして、同係合縁部１１ｄの上部にシールパッキン１４が設けられている。
【００３３】
さらにミキサーカップ３は、一例として、例えば全体がガラス製のものよりなり、下端３ａ側開口部部分が若干小径化されて上下方向に所定の長さの等径部となっており、同等径部部分の外周面側に、上述したカップ台２側の螺合溝２ｇに螺合する螺条凸部３ｂが設けられている。
【００３４】
そして、上記カップ台２の螺合溝２ｇに対する螺合状態では、図１，図２に示すように、カップ台２上に連結一体化され、同連結一体化状態では、上記工具ユニット１１の支持ブラケット部１１ｃ外周端の係合縁部１１ｄ部分がシールパッキン１４を介してカップ台２の段部２ｆとの間に固定され、これによって工具ユニット１１の固定状態が実現される。
【００３５】
さらに、蓋体２は、ミキサーカップ３の上端３ｃ側大径の開口部内に嵌合されるパッキン４ａを備えた筒状の嵌合部４ｂと、該嵌合部４ｂの上端側にあってミキサーカップ３の上端３ｃ側開口部を覆う天板４ｃ部分とから構成されている。
【００３６】
また、天板４ｃ部分には、蓋取り外し用の長く延びたレバー縁部４ｄに加え、その下面側に、以下に述べる安全スイッチ（マイクロスイッチ２０）作動用の所定の長さ下方に延びる押圧片４ｆを備えた押圧縁部４ｅ、さらにはミキサーカップ３の上端３ｃの注ぎ口を覆う注ぎ口縁部４ｇなどが、それぞれ一体に設けられている。
【００３７】
把手部１５の上端面には、上記レバー縁部４ｄの下に指を入れる指入れ凹部１５ａが形成されている。
【００３８】
＜安全機構について＞
ところで、以上のような構成のミキサーでは、もしもミキサー本体１に対して、カップ台２、工具ユニット１１、ミキサーカップ３、さらには蓋体４の各々が適正にセットされていないにも拘わらず、ミキサー本体１側の電源キー（駆動スイッチ）が押されると、駆動されるというのでは、非常に危険である。
【００３９】
そこで、この実施の形態のミキサーにおいても、次に述べるように、電源スイッチのＯＮ，ＯＦＦには関係なく、ミキサー本体１に対して、上述のカップ台２、工具ユニット１１、ミキサーカップ３、蓋体４の全てが適正にセットされ、かつ電源キーＳＷ４がＯＮ操作された時に初めて上記本体１側の工具駆動用モータＭに電源を供給することができるようにした安全スイッチが設けられている。
【００４０】
この実施の形態の場合、該安全スイッチは、例えば図２および図６に示すように、上端側にＯＮ，ＯＦＦ操作用の作動ロッド（ケーシング内にあるため図示省略）を内設したマイクロスイッチ２０（取付部２０ａ）よりなっており、該マイクロスイッチ２０は、上記ミキサー本体１の天壁部１ｃの外周部側から所定寸法中心軸側に寄った位置に設けられ、その上端側が、本体ケーシングの天壁部１ｃよりも所定の高さ高くなる状態で設置されている。
【００４１】
すなわち、上記本体ケーシング天壁部１ｃのマイクロスイッチ設置部１ｇは、図３、図４、図６に示すように、周方向に延び、かつ天壁面より所定の高さ部分的に突出して形成されており、その内側にマイクロスイッチ２０が設けられていて、同マイクロスイッチ２０の作動ロッド部分が天壁面より高くなる状態で支持されている。そして、同周方向に所定の幅を有するマイクロスイッチ設置部１ｇの中央部には、同じく周方向に延びて、後述するカップ台２側第２の作動ロッド２２の横片２２ｂ下端側の扁平部２２ｄがスライド状態で係合する係合溝１ｈが設けられており、該係合溝１ｈ中央部分に設けられたマイクロスイッチ押圧口１ｉ部分にマイクロスイッチ２０の作動ロッド上端が臨まされている。
【００４２】
そして、このマイクロスイッチ２０の作動ロッド部に対して、上記カップ台２およびミキサーカップ３の各側壁部に相互に軸方向に連係する形で設けられた第１，第２の２組の作動ロッド２１，２２が設けられており、該第１，第２の作動ロッド２１，２２は、上述した蓋体４の押圧片４ｆにより下方に押圧下降されて、上記係合溝１ｈのマイクロスイッチ押圧口１ｉに臨むマイクロスイッチ２０の作動ロッド上端部分を押圧することにより、ＯＮ作動（常開接点を閉作動）させて、モータＭを駆動可能とするようになっている。
【００４３】
この実施の形態の場合、上記第１の作動ロッド２１は、例えば図１、図２に示すように、断面コ字状の長尺部材よりなり、上記ミキサーカップ３の把手部１５が設けられている位置から周方向に９０°離れた側面部に金属バンド２４ａ，２４ｂを用いて締結することによって設置されており、同側面部に取り付けるための合成樹脂製の外装ケース２３内に収納する形で設けられている。
【００４４】
外装ケース２３は、例えば図６、図７に詳細に示すように、図１、図２のミキサーカップ３本体側の側面に密着する形で、金属バンド２４ａ，２４ｂにより取り付けられるカップ面に応じた断面円弧形状（なお、図７では、簡略化のためフラットな状態で示している）で長尺の扁平プレート２３ａと、同扁平プレート２３ａの前面側に係合され、第１の作動ロッド２１をカバーする断面コ字状のカバー部材２３ｂとの２つの部材からなっている。
【００４５】
扁平プレート２３ａは、その前面側両サイドの上端から下端にかけて左右一対の係合片２５ａ，２５ａ、２５ｂ，２５ｂ、２５ｃ，２５ｃ、２５ｄ，２５ｄ、２５ｅ，２５ｅが設けられている。それらの内、係合片２５ｂ，２５ｂ、２５ｃ，２５ｃ、２５ｄは、中間部両サイドの上下に長い左右一対の側壁２７，２７部分に設けられている。
【００４６】
また、上端側一対の係合片２５ａ，２５ａの間には、左右一対の軸状の凸部２６ａ，２６ａが、さらに中間部両サイドの左右一対の側壁２７，２７の間には、上記左右一対の軸状の凸部２６ａ，２６ａと同じ間隔で、左右一対の板状の凸部２７ａ，２７ａが、それぞれ設けられている。
【００４７】
一方、上記第１の作動ロッド２１は、断面コ字状で、上端側に天板２１ａ、中間部に同じ高さの中間壁２１ｂが設けられ、左右両側の側壁２１ｃ，２１ｃとで、一側面側が軸直交方向に、および下端側が軸方向に開放された扁平なボックス形状となっている。そして、天板２１ａと中間壁２１ｂとの間の箱形凹溝部２１ｄ部分を上記扁平プレート２３ａ前面側の軸状凸部２６ａ，２６ａと板状凸部２７ａ，２７ａに対して係合される形で、カバー部材２３ｂとの間に収納されている。そして、上記箱形凹溝２１ｄ部分の上下方向長さＬ２は、上記軸状凸部２６ａ，２６ａ上端と板状凸部２７ａ，２７ａ下端との距離Ｌ１よりも所定寸法長く設定されており、それにより上記第１の作動ロッド２１が当該所定寸法差分だけ上下方向にスライドするようになっている。
【００４８】
一方、断面コ字状で、左右に幅広の側壁２８ａ，２８ａを有するカバー部材２３ｂは、同側壁２８ａ，２８ａの内側に、上記扁平プレート２３ａ側の左右一対の係合片２５ａ，２５ａ、２５ｂ，２５ｂ、２５ｃ，２５ｃ、２５ｄ，２５ｄ、２５ｅ，２５ｅが係合する係合溝２９ａ，２９ａ、２９ｂ，２９ｂ、２９ｃ，２９ｃ、２９ｄ，２９ｄ、２９ｅ，２９ｅが設けられているとともに、金属バンド２４ａ，２４ｂ挿通用の凹部３０ａ，３０ａ、３０ｂ，３０ｂが形成されている。また、上端３１ａ部分には、上記第１の作動ロッド２１の上端側天壁部２１が臨む切欠口３１ｂが形成されており、該切欠口３１ｂ部分には、上方側から上述した蓋体４側の押圧片４ｆが挿入されるようになっている。
【００４９】
切欠口３１ｂは、図７に詳細に示すように、左右一対の作動ロッドガイド片３１ｃ，３１ｃの間の背面部分に所定の間隔で、弾性実現のための長手方向のスリット３１ｄ，３１ｄを形成し、同スリット３１ｄ，３１ｄ間の上端部内側に位置して円弧面状のリブ３１ｅを設けている。
【００５０】
一方、蓋体４側の押圧片４ｆは、その下端側前面に、上記カバー部材２３ｂ側のリブ３１ｅに係合する係合凹部を有している。
【００５１】
そして、同押圧片４ｆが挿入された時に、上記第１の作動ロッド２１を上記所定寸法分下方に押し下げ、同押し下げ状態を安定して維持するようになっている。
【００５２】
また、下端側底壁部３１ｆ部分には、上記第１の作動ロッド２１の下端側第２の係合部３９（後述）の全体が遊嵌される開口３１ｇが形成されており、該開口３１ｇ部分には、上方側から上記第２の係合部３９が挿入されるようになっている。
【００５３】
他方、上記扁平プレート２３ａの下端側および作動ロッド２１の下端側には、それぞれ図６に示すカップ台２側外周壁２ａ部分の外周側に突出する形で設けられた第２の作動ロッド２２の収納部３５の上端部に設けられた第１，第２の係合溝３５ａ，３５ｂに係合する第１，第２の係合部３８，３９が設けられている。第１の係合部３８は、上記扁平プレート２３ａ下端の幅方向１／２部分所定寸法下方に突出させることにより、第２の作動ロッド収納部３５上端部の幅方向１／２部分を回転方向に延びる凹溝部としたストッパ溝である第１の係合溝３５ａ部分に係合される一方、第２の係合部３９は、右回りの回転方向先端側が下り下降の傾斜面２９ａ（下端のコーナ部はＲ面）とされ、カップ台２側周方向に延びる第２の係合溝３５ｂの中央に形成されている第２の作動ロッド押圧口３５ｃ内に嵌り込むだけの小さな幅寸法の凸部となっている。
【００５４】
この凸部寸法（突出長さ）は、上記第１の作動ロッド２１の昇降ストロークに対応している。
【００５５】
カップ台２側第２の作動ロッド収納部３５内には、例えば図２に示すように、第２の作動ロッド２２が昇降自在に支持される形で収納されている。
【００５６】
この第２の作動ロッド２２は、図６、図８に詳細に示すように、側面視が直角な形状をなし、上下方向に延びる縦片２２ａ部分が長く、その上端２２ｆ側が、常時上記第２の係合溝３５ｂの第２の作動ロッド押圧口３５ｃ内に臨む形でコイルバネ３６により上方側に付勢支持されているとともに、下端側水平方向に延びる横片２２ｂ部分が所定寸法半径方向内側（カップ台２の中心軸方向）に延び、同延設部の下部には所定の長さ下方に延びる軸部材が設けられている。
【００５７】
この軸部材は、上部側円柱部２２ｃ部分に上述のコイルバネ３６が巻装されているとともに、該円柱部２２ｃの下部２２ｄ部分は所定の長さ扁平に成形され、上述したマイクロスイッチ２０の作動ロッド部に対応して支持されている。
【００５８】
上記第２の作動ロッド２２の上記縦片２２ａと横片２２ｂ部分との間には、直角三角形状の連結壁部２２ｅが一体に設けられている。
【００５９】
この場合、上記横片２２ｂの半径方向中心軸側先端部は、その上面側が、上述したカップ台２側内周壁部２ｅ下端の段部２ｆ裏面側に衝合される形で、コイルバネ３６により上昇位置が規制されている。
【００６０】
このように、この実施の形態では、図１、図２のように、ミキサー本体１に対して、カップ台２、工具ユニット１１、ミキサーカップ３がセットされた状態において、さらに蓋体４がミキサーカップ３の上端側開口部に嵌合されると、該蓋体４の第１の作動ロッド押圧片４ｆが、その長さ分だけ上記第１の作動ロッド２１の上端側天壁部２１ａを下方に押し、第１の作動ロッド２１が対応するストローク分だけ下降する。
【００６１】
すると、それにより、第１の作動ロッド２１下端の第２の係合部３９により上記カップ台２側第２の作動ロッド２２の上端２２ｆが下方に押されて、第２の作動ロッド２２が同じストローク量だけ下降する。
【００６２】
その結果、同第２の作動ロッド２２の横片２２ｂ先端側下部の軸部材部２２ｃの扁平部２２ｄがマイクロスイッチ２０の作動ロッド部分を押圧してＯＮ作動させる。
【００６３】
これにより、上記工具駆動用のモータＭの駆動（回転）が可能となる。
【００６４】
しかも、この場合、上記第２の作動ロッド２２は、蓋体４側の押圧用切欠口３１ｂ部分から下方にストレートに延びる第１の作動ロッド２１および該第１の作動ロッド２１と同軸方向に連係して押圧される縦片２２ａ部分と、実際にマイクロスイッチ２０の作動ロッドを押圧してマイクロスイッチ２０を閉作動させる軸部材２２ｃの扁平部分２２ｄとが水平方向に延びる横片２２ｂを介して半径方向内方（カップ台２の中心軸方向）に相当に長い寸法分偏位して設けられている。
【００６５】
したがって、何らかの事情で、上記外装ケース２３の蓋体４側押圧用切欠口３１ｂ部分から水等が侵入し、第１の作動ロッド２１部分を通じて、または第２の作動ロッド２２の押圧口３５ｃ部分から直接的に水等が侵入したとしても、侵入した水は、上述した直角三角形状の広い連結壁２２ｅ部分で受留められ、横片２２ｂ先端側およびマイクロスイッチ２０押圧用の軸部材２２ｃ部分には到達しない。
【００６６】
したがって、動作の信頼性が確保され、また従来のようにマイクロスイッチ２０を防水構造にしなくても良くなり、製品コストも低下する。
【００６７】
なお、この実施の形態の場合、図７のように、上記第２の作動ロッド２２の相互に直交する縦片２２ａおよび横片２２ｂは、三角形状の連結壁２２ｅに比べて幅の広いフランジ片となっており、三角形状の連結壁２２ｅの左右両側および先端で下方に落下する水の仕切壁を形成しているので、より防水効果が高くなる。
【００６８】
しかも、同構成の場合、図１から理解されるように、第１，第２の作動ロッド２１，２２等よりなる上記安全機構が、上記ミキサーカップ３の把手部１５とは異なる周方向位置（９０°偏位した位置）に設けられている。
【００６９】
したがって、仮に水に濡れた手で把手部１５をもったような場合にも、同安全機構の押圧用開口３１ｂを備えた蓋体４の押圧操作部側が手から離れた位置に位置することになり、より水が侵入しにくくなる。その結果、さらなる安全機構の信頼性が保障される。
【００７０】
さらに、以上の構成の場合、一旦図１、図２のように、ミキサー本体１に対して、カップ台２、工具ユニット１１、ミキサーカップ３、蓋体４が係合一体化されると、上記ミキサーカップ３側第１の作動ロッド２１の下端側第２の係合部３９がカップ台２側の第２の作動ロッド押圧口３５ｃ内に挿入された状態でカップ台２と係合し、またカップ台２側第２の作動ロッド２２の下端側扁平部２２ｄがミキサー本体１側マイクロスイッチ押圧口１ｉ内に挿入された状態で係合することになり、ミキサー本体１とカップ台２、カップ台２とミキサーカップ３は、それらの何れをも相互に回転させることはできなくなる（右にも、左にも）。
【００７１】
したがって、ミキサーカップ３に対して蓋体４が嵌合されている状態、つまりマイクロスイッチ２０がＯＮ作動してミキサー本体１のモータＭが駆動されているか、もしくは少なくとも駆動が可能な状態では、ミキサー本体１とミキサーカップ３とカップ台２の何れをも相互に回転させて分離させることはできない（ヘリコイド係合部、螺合部とも）。
【００７２】
また、以上の構成では、カップ台２に対するミキサーカップ３の係合（取付け）は、カップ台２の上端側開口部の螺合溝２ｇに対するミキサーカップ３下端側螺条凸部３ｂの螺合となっている。
【００７３】
したがって、そのままでは、その時の締付具合によって、ミキサー本体１に対する把手部１５の位置が区々となり、一定しない問題が生じる。
【００７４】
ところが、この実施の形態では、上記のように、カップ台２側の第２の作動ロッド収納部３５の上端部に、周方向幅１／２程度の長さのストッパ溝として機能する第１の係合溝３５ａが形成されており、同第１の係合溝（ストッパ溝）３５ａ部分に上記ミキサーカップ３側第１の作動ロッド収納用外装ケース２３の扁平プレート２３ａ下端側の第１の係合部３８が係合され、確実に螺合位置が規制される。
【００７５】
したがって、ユーザーが、このストッパ位置まで確実にミキサーカップ３を回転させて螺合するかぎり、把手部１５の位置は、常に図１のような適正位置にセットされた状態となる。
【００７６】
また、これにより、上記第１の作動ロッド２１の下端側第２の係合部３９が、より確実に第２の作動ロッド押圧口３５ｃ内に挿入されるようになり、ストッパ溝３５ａがない場合のような無理な回転による損傷も招かなくて済む。
【００７７】
なお、この場合、以上の構成では、ミキサー本体１天壁部１ｃ側のマイクロスイッチ設置部１ｇ部分にも回転方向に延びる係合溝１ｈが設けられており、カップ台２のヘリコイド係合時の扁平部２２ｄのスライド状態での係合が可能となっている。
【００７８】
したがって、ミキサー本体１に対するカップ台２、ミキサーカップ３のセットに際しては、例えば、まず予めカップ台２に対してミキサーカップ３を螺合一体化し、その上で、カップ台２側をミキサー本体１に対してヘリコイド係合することによって、図１、図２のように一体化することも可能である。
【００７９】
その場合、上記ミキサーカップ３とカップ台２とは時計回りに回転させることによって相互に螺合でき、またカップ台２とミキサー本体１とも時計回りに回転させることによってヘリコイド係合することができるようになっている。
【００８０】
したがって、上記カップ台２とミキサーカップ３とを一体化した上で、ミキサー本体１に対して、それらをセットする場合には、ミキサーカップ３を回転操作してミキサー本体１に対してヘリコイド係合することができ、また取り外す時も、螺合状態での結合であるカップ台２とミキサーカップ３との結合力の方が大きいので、同じくミキサーカップ３を反時計回りに操作して取り外すことができ、その後、カップ台２を反時計回りに回転させて取り外せば良いので、取り付け、取り外しも極めて容易である。
【符号の説明】
【００８１】
１はミキサー本体、２はカップ台、３はミキサーカップ、４は蓋体、４ｆは押圧片、１１は工具ユニット、１２は切刃、２０はマイクロスイッチ、２１は第１の作動ロッド、２２は第２の作動ロッド、２３は外装ケース、９１はモータ軸、Ｍはモータである。
【図１】
0005948868.tif 000002
【図２】
0005948868.tif 000003
【図３】
0005948868.tif 000004
【図４】
0005948868.tif 000005
【図５】
0005948868.tif 000006
【図６】
0005948868.tif 000007
【図７】
0005948868.tif 000008
【図８】
0005948868.tif 000009